(57)【特許請求の範囲】
【請求項１】
漢字と、該漢字のくずし字を記号群によって近似的に示したくずし字近似文字と、を対応付けて記憶する記憶部と、
所定の漢字を特定する情報を入力する入力部と、
前記入力部に入力された情報によって特定される漢字に対応付けられたくずし字近似文字を、前記記憶部から検索する検索部と、
前記検索部によって検索されたくずし字近似文字を出力する出力部と、
を備えたことを特徴とする情報処理装置。
【請求項２】
前記記号群は、数字、特殊記号、一般記号、アルファベット、片仮名若しくは平仮名又はこれらの組み合わせであることを特徴とする請求項１に記載の情報処理装置。
【請求項３】
前記漢字のくずし字は、該漢字の草書体文字、行書体文字又は行草体文字であることを特徴とする請求項１に記載の情報処理装置。
【請求項４】
前記記憶部は、さらに、前記漢字と、該漢字を構成する要素毎の位置情報と、を対応付けて記憶し、
第１の漢字を構成する第１要素と、前記第１の漢字と異なる第２の漢字を構成する第２要素とが同一であり、且つ、前記第１要素の位置情報と、前記第２要素の位置情報とが同一である場合、前記第１要素を記号によって近似的に示した第１要素近似文字と前記第２要素を記号群によって近似的に示した第２要素近似文字とは同一であることを特徴とする請求項１に記載の情報処理装置。
【請求項５】
前記入力部は、所定の要素及び所定の位置情報を入力し、
前記検索部は、入力された前記所定の要素の位置情報が前記所定の位置情報である漢字に対応付けられたくずし字近似文字を、前記記憶部から検索することを特徴とする請求項４に記載の情報処理装置。
【請求項６】
前記漢字を構成する要素は、当該漢字を分割して得られる最小単位の構成要素、又は、２以上の前記最小単位の構成要素の組み合わせであることを特徴とする請求項４に記載の情報処理装置。
【請求項７】
前記漢字を構成する要素の位置情報は、当該漢字を方形枠図形として模式化した場合における当該方形枠図形内の前記要素の占拠位置を示す第１の占拠位置と、前記第１の占拠位置における前記要素の占拠位置を示す第２の占拠位置との組み合わせによって表されることを特徴とする請求項４に記載の情報処理装置。
【請求項８】
前記出力部は、
前記第１の占拠位置と、前記第２の占拠位置との組み合わせをマトリックス表記したマトリックス表を表示し、
表示された前記マトリックス表上で、前記所定の要素及び前記所定の位置情報が指定されると、前記所定の要素の位置情報が、前記指定された位置情報である漢字のくずし字近似文字を検索結果として出力することを特徴とする請求項７に記載の情報処理装置。
【請求項９】
漢字と、当該漢字のくずし字を記号群によって近似的に示したくずし字近似文字と、を対応付けて記憶する記憶部を備えた情報処理装置における情報処理方法であって、
前記方法は、
入力部が、所定の漢字を特定する情報を入力する工程と、
検索部が、前記入力する工程において入力された情報によって特定される漢字に対応付けられたくずし字近似文字を、前記記憶部から検索する工程と、
出力部が、前記検索する工程において検索されたくずし字近似文字を出力する工程と、
を含むことを特徴とする情報処理方法。
【発明の詳細な説明】
【技術分野】
【０００１】
本発明は、情報処理装置及び情報処理方法に関する。
【背景技術】
【０００２】
現在、漢字の書体としては、方形に近い字形で一画一画を続けずに筆を離して書く、いわゆる「楷書体」と呼ばれる書体が一般的に使用されている。
【０００３】
従来、このような楷書体の漢字を分類する場合には、漢字の構成要素である部首が用いられてきた。このような部首に関し、康熙字典では２１４種類の部首が画数順に定義されている。そして、例えば特許文献１には、漢字（図形文字）と部首（基本字形）とを対応付けて登録するデータベースに関する技術が開示されている。
【先行技術文献】
【特許文献】
【０００４】
【特許文献１】特開平９−１６０９１２号公報
【発明の概要】
【発明が解決しようとする課題】
【０００５】
ところで、古文書等に用いられる漢字の書体として、行書体、草書体、行草体等のいわゆる「くずし字」と呼ばれるものが知られている。しかしながら、くずし字は、同じ字であっても書体毎にくずし方が異なるのが一般的であり、このような特徴を有する各書体のくずし字を体系的に管理する手段はなかった。
【０００６】
そのため、くずし字に関する豊富な知識がないと、古文書を解読すること等ができなかった。また、くずし字に対する学習性を向上させるといった観点から、所望の漢字のくずし字を効率的に学習できる態様で、漢字のくずし字を管理することが好ましかった。
【０００７】
本発明は、上記の点に鑑みてなされたものであり、漢字のくずし字を効率的に学習できる態様で、漢字のくずし字を体系的に管理可能な情報処理装置及び情報処理方法を提供することを目的とする。
【課題を解決するための手段】
【０００８】
上記の目的を達成するために、本発明に係る情報処理装置は、漢字と、該漢字のくずし字を記号群によって近似的に示したくずし字近似文字と、を対応付けて記憶する記憶部と、所定の漢字を特定する情報を入力する入力部と、前記入力部に入力された情報によって特定される漢字に対応付けられたくずし字近似文字を、前記記憶部から検索する検索部と、前記検索部によって検索されたくずし字近似文字を出力する出力部と、を備えたことを特徴とする。
【０００９】
また、上記の目的を達成するために、前記記号群は、数字、特殊記号、一般記号、アルファベット、片仮名若しくは平仮名又はこれらの組み合わせであることを特徴とする。
【００１０】
また、上記の目的を達成するために、前記漢字のくずし字は、該漢字の草書体文字、行書体文字又は行草体文字であることを特徴とする。
【００１１】
また、上記の目的を達成するために、前記記憶部は、さらに、前記漢字と、該漢字を構成する要素毎の位置情報と、を対応付けて記憶し、第１の漢字を構成する第１要素と、前記第１の漢字と異なる第２の漢字を構成する第２要素とが同一であり、且つ、前記第１要素の位置情報と、前記第２要素の位置情報とが同一である場合、前記第１要素を記号群によって近似的に示した第１要素近似文字と前記第２要素を記号によって近似的に示した第２要素近似文字とは同一であることを特徴とする。
【００１２】
また、上記の目的を達成するために、前記入力部は、所定の要素及び所定の位置情報を入力し、前記検索部は、入力された前記所定の要素の位置情報が前記所定の位置情報である漢字に対応付けられたくずし字近似文字を、前記記憶部から検索することを特徴とする。
【００１３】
また、上記の目的を達成するために、前記漢字を構成する要素は、当該漢字を分割して得られる最小単位の構成要素、又は、２以上の前記最小単位の構成要素の組み合わせであることを特徴とする。
【００１４】
また、上記の目的を達成するために、前記漢字を構成する要素の位置情報は、当該漢字を方形枠図形として模式化した場合における当該方形枠図形内の前記要素の占拠位置を示す第１の占拠位置と、前記第１の占拠位置における前記要素の占拠位置を示す第２の占拠位置との組み合わせによって表されることを特徴とする請求項４に記載の情報処理装置。
【００１５】
また、上記の目的を達成するために、前記出力部は、前記第１の占拠位置と、前記第２の占拠位置との組み合わせをマトリックス表記したマトリックス表を表示し、表示された前記マトリックス表上で、前記所定の要素及び前記所定の位置情報が指定されると、前記所定の要素の位置情報が、前記指定された位置情報である漢字のくずし字近似文字を検索結果として出力することを特徴とする。
【００１６】
また、上記の目的を達成するために、本発明に係る情報処理方法は、漢字と、当該漢字のくずし字を記号群によって近似的に示したくずし字近似文字と、を対応付けて記憶する記憶部を備えた情報処理装置における情報処理方法であって、前記方法は、入力部が、所定の漢字を特定する情報を入力する工程と、検索部が、前記入力する工程において入力された情報によって特定される漢字に対応付けられたくずし字近似文字を、前記記憶部から検索する工程と、出力部が、前記検索する工程において検索されたくずし字近似文字を出力する工程と、を含むことを特徴とする。
【発明の効果】
【００１７】
本発明によれば、漢字のくずし字を効率的に学習できる態様で、漢字のくずし字を体系的に管理することができる。
【図面の簡単な説明】
【００１８】
【図１】本実施形態に係る情報処理装置の構成例を示す図である。
【図２】本実施形態に係る情報処理装置の機能構成例を示す図である。
【図３】本実施形態に係る部首データの一例を示す図である。
【図４】本実施形態に係る漢字データ一例を示す図である。
【図５Ａ】本実施形態に係る第１くずし字データの一例を示す図である。
【図５Ｂ】本実施形態に係る第２くずし字データの一例を示す図である。
【図５Ｃ】本実施形態に係る第３くずし字データの一例を示す図である。
【図６Ａ】本実施形態に係る新部首の字形上の位置を示す図である。
【図６Ｂ】本実施形態に係る新部首の字形上の位置の組み合わせを示すマトリックス表である。
【図７Ａ】本実施形態に係る新部首の字形上の位置を縦方向ポジションと横方向ポジションの１対の組み合わせで表した例を示す図である。
【図７Ｂ】本実施形態に係る新部首の字形上の位置を縦方向ポジションと横方向ポジションの１対の組み合わせで表した例を示す図である。
【図７Ｃ】本実施形態に係る新部首の字形上の位置を３種のポジションデータで表した例を示す図である。
【図７Ｄ】本実施形態に係る新部首の字形上の位置を４種のポジションデータで表した例を示す図である。
【図８】本実施形態に係る検索画面の一例を示す図である。
【図９】本実施形態に係る漢字一覧画面の一例を示す図である。
【図１０】本実施形態に係る新部首番号による検索結果の漢字一覧画面の一例を示す図である。
【図１１】本実施形態に係る部首マトリックス表の表示画面の一例を示す図である。
【図１２Ａ】本実施形態に係る部首マトリックス表を用いた検索結果の表示画面の一例を示す図である。
【図１２Ｂ】本実施形態に係る部首マトリックス表を用いた検索結果の表示画面の一例を示す図である。
【図１２Ｃ】本実施形態に係る部首マトリックス表を用いた検索結果の表示画面の一例を示す図である。
【図１２Ｄ】本実施形態に係る部首マトリックス表を用いた検索結果の表示画面の一例を示す図である。
【発明を実施するための形態】
【００１９】
本技術は、漢字と、該漢字のくずし字を記号群によって近似的に示したくずし字近似文字と、を対応付けて記憶する記憶部と、所定の漢字を特定する情報を入力する入力部と、前記入力部に入力された情報によって特定される漢字に対応付けられたくずし字近似文字を、前記記憶部から検索する検索部と、前記検索部によって検索されたくずし字近似文字を出力する出力部と、を備えた構成により、漢字のくずし字を効率的に学習できる態様で、漢字のくずし字を体系的に管理するものである。以下、本技術の実施の形態を説明する。
【００２０】
［情報処理装置の構成］
図１は、本実施形態に係る情報処理装置５０の構成例を示す図である。
【００２１】
この情報処理装置５０は、バス５７を介して接続されたＣＰＵ（Central Processing Unit）５１、メモリ５２、ＨＤＤ（Hard Disk Drive）５３、入力装置５４、表示装置５５、インターフェース装置５６を備える。
【００２２】
ＣＰＵ５１は、メモリ５２に記憶された各種プログラム（本実施形態の情報処理プログラム５２ａを含む）を実行する中央演算装置である。メモリ５２は、ＣＰＵ５１によって実行される情報処理プログラム５２ａ等のプログラム及びこれらのプログラムによって使用されるデータを記憶するＲＡＭ（Random Access Memory）等の記憶装置である。ＨＤＤ５３は、各種データ等を記憶する記憶装置である。
【００２３】
入力装置５４は、ユーザインターフェースを提供する入力装置（例えばキーボード、マウス）である。表示装置５５は、例えばディスプレイ等の表示装置である。インターフェース装置５６は、外部ネットワーク等に接続するためのインターフェース装置である。
【００２４】
［情報処理装置の機能構成］
図２は、本実施形態に係る情報処理装置５０の機能構成例を示す図である。以下、情報処理装置５０が実現する各機能について説明する。
【００２５】
情報処理装置５０は、入力部５００、処理部５１０、出力部５２０、記憶部５３０を有する構成である。
【００２６】
入力部５００は、図１の入力装置５４に対するユーザの入力情報を入力する。
【００２７】
処理部５１０は、検索部５１１、出力用データ生成部５１２を有する。検索部５１１は、入力部５００に入力されたユーザの入力情報に基づいて、記億部５３０から所望のデータを検索する。出力用データ生成部５１２は、検索部５１１の検索結果に基づいて、出力用のデータを生成する。
【００２８】
出力部５２０は、処理部５１０の処理結果、例えば出力用データ生成部５１２によって生成された出力用データを、図１の表示装置５５上に表示する。なお、出力部５２０は、処理部５１０の処理結果を、例えばマイクロソフト社製のExcelファイルのワークシートに取り込み、生成されたExcelファイルを記憶部５３０等に出力してもよいし、ＣＳＶ（Comma Separated Values）形式のデータとして出力しても良い。
【００２９】
図１の情報処理プログラム５２ａが、これら入力部５００、検索部５１１、出力用データ生成部５１２、出力部５２０の各機能を情報処理装置５０に実現させる。
【００３０】
記憶部５３０は、部首データ５４０、漢字データ５５０、第１くずし字データ５６０、第２くずし字データ５７０、第３くずし字データ５８０等を記憶する。部首データ５４０については、図３を用いて詳細に後述する。漢字データ５５０については、図４を用いて詳細に後述する。第１くずし字データ５６０〜第３くずし字データ５８０については、それぞれ図５Ａ〜図５Ｃを用いて詳細に後述する。
【００３１】
この記億部５３０は、例えば図１のメモリ５２やＨＤＤ５３によって実現される。なお、記憶部５３０は、部首データ５４０、漢字データ５５０、第１くずし字データ５６０〜第３くずし字データ５８０をデータベースとして記憶することが好ましい。
【００３２】
［部首データの一例］
図３は、本実施形態に係る部首データの一例を示す図である。図３に示す部首データ５４０は、部首ＩＤ５４１と部首５４２とが対応付けて登録されるテーブルである。
【００３３】
部首ＩＤ５４１は、各部首を一意に識別するための識別子である。本実施形態では、康熙字典において定義された２１４種類の部首（以下、「旧部首」ともいう。）に加え、新たな部首がテーブル上で定義される。なお、説明の便宜上、旧部首と新たな部首とを併せて、「新部首」という。この新部首は、特許請求の範囲に記載の「要素」に対応する。
【００３４】
ここでいう新たな部首とは、名前に使用可能な常用漢字及び人名漢字２９９７種の楷書体の漢字を分割して得られる最小単位の構成要素であって、旧部首以外の構成要素を含む。
【００３５】
例えば“語”という漢字で考える。漢字“語”には、旧部首の一つである“言（ごんべん）”に加え、漢字の右上、右下の領域にそれぞれ“五”、“口”という二つの最小単位の構成要素が含まれている。旧部首に含まれない最小単位の構成要素“五”は、新たな部首として定義される（図３では部首ＩＤ５４１が“４６３”）。一方、部首ＩＤ５４１が“３０”の部首５４２は“口”に相当する最小単位の構成要素“口”は、新たな部首としては定義されない。
【００３６】
また新たな部首とは、楷書体の漢字を分割して得られる最小単位の構成要素を２つ以上組み合わせたものを含む。
【００３７】
例えば“頭”という漢字で考える。漢字“頭”には、漢字の左上の領域に“一”、“口”という２つの構成要素を縦に並べたものが含まれている。そこで、２つの構成要素“一”、“口”を縦に並べて組み合わせたものを、新たな部首として定義する（図３では部首ＩＤ５４１が“４２０”）。また、例えば“副”という漢字には、漢字の左の領域に“一”、“口”、“田”を縦に並べたものが含まれている。そこで、３つの構成要素“一”、“口”、“田”を縦に並べて組み合わせたものを、新たな部首として定義する（図３では部首ＩＤ５４１が“９０６”）。
【００３８】
部首５４２は、部首ＩＤ５４１に対応する部首の内容である。例えば部首ＩＤ５４１が“３０”の部首５４２は“口（くち）”である。なお、部首に呼び名がある場合には、部首の呼び名を併せて登録しても良い。
【００３９】
以上に示すように、本実施形態に係る部首データ５４０では、新部首の各々について、部首ＩＤ５４１と部首５４２とが対応付けて登録される。なお、上記のように、新部首は、旧部首に加え、漢字を分割して得られる最小単位の構成要素、及び、最小単位の構成要素を２つ以上組み合わせたものを含む。
【００４０】
［漢字データの一例］
図４は、本実施形態に係る漢字データの一例を示す図である。図４に示す漢字データ５５０は、２９９７種の漢字の各々について、漢字ＩＤ５５１、漢字５５２、第１の部首情報５５３、第２の部首情報５５４が対応付けて登録されるテーブルである。
【００４１】
なお、図４では、２９９７種の漢字のうち、図３の部首ＩＤ５４１が“３０”、“４２０”又は“９０６”の新部首を構成要素として有する漢字群の一部を例示している。
【００４２】
漢字ＩＤ５５１は、各漢字を一意に識別するための識別子である。漢字５５２は、漢字ＩＤ５５１に対応する楷書体の漢字の内容である。
【００４３】
第１の部首情報５５３は、漢字５５２が有する新部首のうちの第１の部首（以下、「第１部首」という。）の部首ＩＤ５５３Ａ（図３の部首ＩＤ５４１に相当）と、この第１部首の位置を示すポジションデータ（位置情報）５５３Ｂとを含む。
【００４４】
ポジションデータ５５３Ｂは、部首ＩＤ５５３Ａで特定される第１部首の字形上の位置を示す情報であり、最大４個のポジションデータ、すなわち１番目のポジションデータＰ１、２番目のポジションデータＰ２、３番目のポジションデータＰ３、４番目のポジションデータＰ４の組み合わせで表される。これらポジションデータＰ１、Ｐ２、Ｐ３、Ｐ４には、アルファベット“Ａ”〜“γ”や数値“１”〜“２９”が登録される。これらアルファベット“Ａ”〜“γ”や数値“１”〜“２９”については、図６Ａや図６Ｂを用いて後述する。
【００４５】
同様に、第２の部首情報５５４は、漢字５５２が有する新部首のうちの第２の部首（以下、「第２部首」という。）の部首ＩＤ５５４Ａ（図３の部首ＩＤ５４１に相当）と、この第２部首の位置を示すポジションデータ５５４Ｂとを含む。但し、漢字“口”のように、第１部首“口”以外の新部首を有さない漢字では、第２の部首情報５５４は登録されない。
【００４６】
以上に示すように、図４に示す漢字データ５５０では、２９９７種の漢字の各々について、漢字ＩＤ５５１、漢字５５２、第１の部首情報５５３、第２の部首情報５５４が対応付けて登録される。また、第１の部首情報５５３、第２の部首情報５５４には、漢字が有する新部首毎の位置情報が登録される。
【００４７】
なお、図４では図示していないが、漢字５５２が有する新部首が３つ以上の場合には、第３の部首情報、第４の部首情報、・・・、第Ｎの部首情報が、必要に応じて漢字に対応付けて登録される。また、一つの漢字に対応付けられる部首情報は２４個程度までとすることが好ましい。
【００４８】
［くずし字データの例］
図５Ａは、本実施形態に係る第１くずし字データの一例を示す図である。図５Ａに示す第１くずし字データ５６０は、２９９７種の漢字の各々について、漢字ＩＤ５５１、漢字５５２、行書体５６１、書き順５６２が対応付けて登録されるテーブルである。
【００４９】
なお、図４と同様の構成要素には同一の符号を付して重複する説明を適宜省略する。また、図５Ａでは、図４と同様の漢字群を例示している。
【００５０】
行書体５６１は、くずし字の書体の１種であり、漢字５５２に示す漢字の行書体を、数字、特殊記号、一般記号、アルファベット、片仮名若しくは平仮名又はこれらの組み合わせ（以下、「記号群」という。）によって近似的に示したくずし字近似文字であり、例えば画像データである。なお、この行書体５６１の欄の括弧で囲まれた部分は、参考として記載された行書体の漢字そのものである。
【００５１】
書き順５６２は、行書体５６１に示すくずし字の書き順を示すものであり、例えば画像データである。例えば、行書体の漢字“右”は、片仮名“ナ”、数字“１”、“２”の順番に記載することで近似的に表されることを示す。また、行書体の漢字“石”は、数字“７”、“１”、“２”の順番に記載することで近似的に表されることを示す。さらに、行書体の漢字“名”は、アルファベット“ｒ”、片仮名“ノ”、数字“１”、“２”の順番に記載することで近似的に表されることを示す。その他の漢字についても同様である。
【００５２】
以上に示すように、本実施形態に係る第１くずし字データ５６０では、２９９７種の漢字の各々について、漢字ＩＤ５５１、漢字５５２、行書体５６１、書き順５６２が対応付けて登録される。なお、この第１くずし字データ５６０は、図４の漢字データ５５０と同一のテーブルによって構成されてもよい。また、行書体５６１に示すくずし字近似文字や、書き順５６２に示す各記号は、記号毎に異なる色としてもよい。これにより、ユーザはくずし字近似文字を容易に学習可能となる。さらには、行書体５６１に示すくずし字近似文字はあくまで一例であり、他の記号群を用いて構成されてもよい。
【００５３】
図５Ｂは、本実施形態に係る第２くずし字データの一例を示す図である。図５Ｂに示す第２くずし字データ５７０は、２９９７種の漢字の各々について、漢字ＩＤ５５１、漢字５５２、行草体５７１、書き順５７２が対応付けて登録されるテーブルである。
【００５４】
なお、図４と同様の構成要素には同一の符号を付して重複する説明を適宜省略する。また、図５Ｂでは、図４と同様の漢字群を例示している。
【００５５】
行草体５７１は、くずし字の書体の１種であり、漢字５５２に示す漢字の行草体を、記号群によって近似的に示したくずし字近似文字であり、例えば画像データである。なお、この行草体５７１の欄の括弧で囲まれた部分は、参考として記載された行草体の漢字そのものである。
【００５６】
書き順５７２は、行草体５７１に示すくずし字の書き順を示すものであり、例えば画像データである。例えば、行草体の漢字“右”は、片仮名“ナ”、平仮名“い”の順番に記載することで近似的に表されることを示す。また、行草体の漢字“石”は、数字“７”、平仮名“い”の順番に記載することで近似的に表されることを示す。さらに、行草体の漢字“名”は、アルファベット“ｒ”、片仮名“ノ”、平仮名“い”の順番に記載することで近似的に表されることを示す。その他の漢字についても同様である。
【００５７】
以上に示すように、本実施形態に係る第２くずし字データ５７０では、２９９７種の漢字の各々について、漢字ＩＤ５５１、漢字５５２、行草体５７１、書き順５７２が対応付けて登録される。なお、この第２くずし字データ５７０は、図４の漢字データ５５０と同一のテーブルによって構成されてもよい。また、行草体５７１に示すくずし字近似文字や、書き順５７２に示す各記号は、記号毎に異なる色としてもよい。これにより、ユーザはくずし字近似文字を容易に学習可能となる。さらには、行草体５７１に示すくずし字近似文字はあくまで一例であり、他の記号群を用いて構成されてもよい。
【００５８】
図５Ｃは、本実施形態に係る第３くずし字データの一例を示す図である。図５Ｃに示す第３くずし字データ５８０は、２９９７種の漢字の各々について、漢字ＩＤ５５１、漢字５５２、草書体５８１、書き順５８２が対応付けて登録されるテーブルである。
【００５９】
なお、図４と同様の構成要素には同一の符号を付して重複する説明を適宜省略する。また、図５Ｃでは、図４と同様の漢字群を例示している。
【００６０】
草書体５８１は、くずし字の書体の１種であり、漢字５５２に示す漢字の草書体を、記号群によって近似的に示したくずし字近似文字であり、例えば画像データである。なお、この草書体５８１の欄の括弧で囲まれた部分は、参考として記載された草書体の漢字そのものである。
【００６１】
書き順５８２は、草書体５８１に示すくずし字の書き順を示すものであり、例えば画像データである。例えば、草書体の漢字“右”は、アルファベット“α”、平仮名“つ”、一般記号“＼”、平仮名“つ”の順番に記載することで近似的に表されることを示す。また、草書体の漢字“石”は、数字“７”、一般記号“＼”、平仮名“つ”の順番に記載することで近似的に表されることを示す。さらに、草書体の漢字“名”は、アルファベット“ｒ”、片仮名“ノ”、数字“１”、平仮名“つ”の順番に記載することで表されることを示す。その他の漢字についても同様である。
【００６２】
以上に示すように、本実施形態に係る第３くずし字データ５８０では、２９９７種の漢字の各々について、漢字ＩＤ５５１、漢字５５２、草書体５８１、書き順５８２が対応付けて登録される。なお、この第３くずし字データ５８０は、図４の漢字データ５５０と同一のテーブルによって構成されてもよい。また、草書体５８１に示すくずし字近似文字や、書き順５８２に示す各記号は、記号毎に異なる色としてもよい。これにより、ユーザはくずし字近似文字を容易に学習可能となる。さらには、草書体５８１に示すくずし字近似文字はあくまで一例であり、他の記号群を用いて構成されてもよい。
【００６３】
続いて図６Ａを用いて、図４のポジションデータＰ１、Ｐ２、Ｐ３、Ｐ４に登録されるアルファベット“Ａ”〜“γ”や数値“１”〜“２９”について説明するが、この説明の前提について説明する。
【００６４】
本願発明者は、漢字における新部首の占拠位置には、一定の法則があることを発見した。すなわち、新部首の占拠位置は、漢字を方形枠図形（以下、「方形枠」ともいう。）、たとえば長方形の図形として模式化した場合には、新部首の占拠位置とその大きさを考慮しても、せいぜい３０種類以下の占拠位置の組み合わせによって表されることが判明した。
【００６５】
［新部首の字形上の位置］
図６Ａは、本実施形態に係る新部首の字形上の位置を示す図である。
【００６６】
新部首の字形上の位置は、図６Ａに示す方形枠Ａ（１）〜γ（２９）で示される。方形枠Ａ（１）〜γ（２９）は、漢字を長方形の図形に見立てた場合における新部首の占拠位置を識別可能に示したものである。図６Ａに示す例では、各方形枠Ａ（１）〜γ（２９）における黒色の部分が、新部首の占拠位置に相当する。なお、黒色でなく、色彩で色分けしたり、ハッチングを施すことによって識別しても良い。
【００６７】
方形枠Ａ（１）は、方形枠の全ての領域が新部首の占拠位置であることを示す。方形枠Ｂ（２）は、方形枠を上下に二等分したうちの上半分の領域が新部首の占拠位置であることを示す。方形枠Ｃ（３）は、方形枠を上下に三等分したうちの一番上の領域が新部首の占拠位置であることを示す。方形枠Ｄ（４）は、方形枠を上下に二等分したうちの下半分の領域が新部首の占拠位置であることを示す。方形枠Ｅ（５）は、方形枠を上下に三等分したうちの一番下の領域が新部首の占拠位置であることを示す。方形枠Ｆ（６）は、方形枠を上下に三等分したうちの中央の領域が新部首の占拠位置であることを示す。
【００６８】
方形枠Ｇ（７）は、方形枠を左右に二等分したうちの左半分の領域が新部首の占拠位置であることを示す。方形枠Ｈ（８）は、方形枠を左右に三等分したうちの一番左の領域が新部首の占拠位置であることを示す。方形枠Ｉ（９）は、方形枠を左右に二等分したうちの右半分の領域が新部首の占拠位置であることを示す。方形枠Ｊ（１０）は、方形枠を左右に三等分したうちの一番右の領域が新部首の占拠位置であることを示す。方形枠Ｋ（１１）は、方形枠を左右に三等分したうちの中央の領域が新部首の占拠位置であることを示す。
【００６９】
方形枠Ｌ（１２）は、方形枠の左下部側において当該方形枠の辺長より短い辺長の方形枠で示す領域が新部首の占拠位置であることを示す。方形枠Ｍ（１３）は、方形枠の右上部側において当該方形枠の辺長より短い辺長の方形枠で示す領域が新部首の占拠位置であることを示す。方形枠Ｎ（１４）は、方形枠の右下部側において当該方形枠の辺長より短い辺長の方形枠で示す領域が新部首の占拠位置であることを示す。
【００７０】
方形枠Ｏ（１５）は、方形枠Ｄ（４）で示す領域に加え、中央部分が上方に三角形状に突出した領域が新部首の占拠位置であることを示す。方形枠Ｐ（１６）は、方形枠の中央下部側において縦長長方形状の領域が新部首の占拠位置であることを示す。方形枠Ｑ（１７）は、方形枠Ｐ（１６）で示す領域に加え、中央部分が上方に長方形状に突出した領域が新部首の占拠位置であることを示す。
【００７１】
方形枠Ｒ（１８）は、方形枠の中央上部側において縦長長方形状の領域が新部首の占拠位置であることを示す。方形枠Ｓ（１９）は、方形枠の中央部において当該方形枠の辺長より短い辺長の方形枠で示す領域が新部首の占拠位置であることを示す。方形枠Ｔ（２０）は、方形枠の中央右部側において横長長方形状の領域が新部首の占拠位置であることを示す。
【００７２】
方形枠Ｕ（２１）〜γ（２９）の各々は、方形枠全体から、方形枠Ｌ（１２）〜Ｔ（２０）で示す領域をそれぞれ除いた領域が新部首の占拠位置であることを示す。
【００７３】
以上に示すように、新部首の字形上の位置は２９通り定義される。なお、方形枠Ａ〜γは新部首の方形枠図形内の占拠位置（第１の占拠位置）を示し、方形枠１〜２９は第１の占拠位置内における新部首の占拠位置（第２の占拠位置）を示す。すなわち、新部首の字形上の位置は、方形枠中の新部首の第１の占拠位置を示す方形枠Ａ〜γと第２の占拠位置を示す方形枠１〜２９との組み合わせによって表される。
【００７４】
図６Ｂは、本実施形態に係る新部首の字形上の位置の組み合わせを示すマトリックス表６００である。
【００７５】
図６Ｂに示すマトリックス表６００では、縦列及び横列に、それぞれ前述の方形枠Ａ〜γ、方形枠１〜２９とを示している。そうすると、新部首の字形上の位置は、縦方向のポジション（位置）と横方向のポジション（位置）との組み合わせで表される。特に、縦方向のポジションと横方向のポジションをそれぞれ１個の組み合わせで表したものを、本実施形態では、“部首マトリックス”という。
【００７６】
例えば縦方向のポジション“Ｂ”と横方向のポジション“９”の組み合わせは、部首マトリックス“Ｂ９”として示される。また例えば、縦方向のポジション“Ｄ”と横方向のポジション“１４”の組み合わせは、部首マトリックス“Ｄ１４”として示される。
【００７７】
なお、図６Ｂにおいて、部首マトリックス“Ａ２”〜“Ａ２９”、“Ｂ２”〜“Ｂ６”、“Ｃ２”〜“Ｃ６”、“Ｄ２”〜“Ｄ６”、“Ｅ２”〜“Ｅ６”、“Ｆ２”〜“Ｆ６”、“Ｇ７”〜“Ｇ１１”、“Ｈ７”〜“Ｈ１１”、“Ｉ７”〜“Ｉ１１”、“Ｊ７”〜“Ｊ１１”、“Ｋ７”〜“Ｋ１１”、“Ｕ２”〜“Ｕ２９”、…、“γ２”〜“γ２９”の組み合わせは用いられないため、薄文字で示している。ただし、これらの組み合わせを用いてもよい。
【００７８】
図７Ａ及び図７Ｂは、本実施形態に係る新部首の字形上の位置を縦方向のポジションと横方向のポジションの１対の組み合わせで表した例を示す図である。
【００７９】
図７Ａに示すように、縦方向のポジション“Ｎ”と横方向のポジション“１”の組み合わせである部首マトリックス“Ｎ１”では、方形枠の右下部の領域（第１の占拠位置）内の全体の領域（第２の占拠位置）が新部首の占拠位置となる。また図７Ｂに示すように、縦方向のポジション“Ｄ”と横方向のポジション“１４”の組み合わせである部首マトリックス“Ｄ１４”では、方形枠の下半分の領域（第１の占拠位置）内の右下部側の領域（第２の占拠位置）が新部首の占拠位置となる。
【００８０】
ここで、例えば図４において、漢字ＩＤ５５１が“２”である漢字“右”の第１の部首情報５５３では、第１部首のポジションデータ５５３ＢがポジションデータＰ１“Ｎ”とポジションデータＰ２“１”の組み合わせであることが表されている。これはすなわち、漢字“右”において、第１部首ＩＤ５５３Ａが“３０”である新部首“口”は、方形枠の右下部の領域を占拠位置とすることを示す。
【００８１】
図７Ｃは、本実施形態に係る新部首の字形上の位置を３種のポジションデータで表した例を示す図である。図７Ｄは、本実施形態に係る新部首の字形上の位置を４種のポジションデータで表した例を示す図である。
【００８２】
図７Ｃに示すように、ポジションデータＰ１“Ｇ”とポジションデータＰ２“Ｄ”とポジションデータＰ３“１２”の組み合わせでは、方形枠を四等分したうちの左下の領域の左下部の領域が新部首の占拠位置となる。すなわち、ポジションデータＰ３（第３の占拠位置）は、ポジションデータＰ１及びポジションデータＰ２の組み合わせによって表される位置における占拠位置を示す位置情報であると言い換えることができる。
【００８３】
また図７Ｄに示すように、ポジションデータＰ１“Ｂ”とポジションデータＰ２“Ｇ”とポジションデータＰ３“Ｔ”とポジションデータＰ４“３”の組み合わせでは、方形枠の左上部の一部領域が新部首の占拠位置となる。すなわち、ポジションデータＰ４（第４の占拠位置）は、ポジションデータＰ１、ポジションデータＰ２及びポジションデータＰ３の組み合わせによって表される位置における占拠位置を示す位置情報であると言い換えることができる。
【００８４】
以上、図４から図７Ｄを用いて説明してきたように、本実施形態によれば、２９９７種の楷書体の漢字の各々について、当該漢字が有する新部首と、当該新部首毎のポジションデータＰ１、ポジションデータＰ２、及び、必要に応じてポジションデータＰ３、又は、ポジションデータＰ３及びＰ４（漢字を構成する要素毎の位置情報）と、当該漢字のくずし字（行書体、行草体、草書体等）を記号群によって近似的に示したくずし字近似文字とが対応付けて記憶部５３０に登録される。
【００８５】
なお、図５Ａ~５Ｃに示す各くずし字テーブルでは、行書体、行草体、草書体のくずし字近似文字を登録した例を示したが、これらの書体に限定されるものではない。その他の書体のくずし字近似文字を登録してもよい。また、各くずし字テーブルでは、くずし字を記号群によって近似的に示したくずし字近似文字を登録した例を示したが、くずし字自体を対応付けて登録してもよい。
【００８６】
［検索画面の一例］
図８は、本実施形態に係る検索画面の一例を示す図である。図８に示す検索画面８００は、出力部５２０（図２参照）によって表示装置５５（図１参照）上に表示される。
【００８７】
検索画面８００は、押下可能な漢字一覧ボタン８０１、エクスポートボタン８０２を含む。
【００８８】
検索画面８００上で、ユーザは入力装置５４（図１参照）を用いて漢字一覧ボタン８０１を押下する。そうすると、入力部５００（図２参照）が当該ボタンの押下を入力し、検索部５１１が漢字データ５５０から全ての漢字データを検索する。出力用データ生成部５１２は、検索結果として抽出された漢字の一覧を示す画面データを生成する。画面データについては図９を用いて後述する。その後、出力部５２０は、生成された画面データを表示装置５５上に表示する。
【００８９】
図９は、本実施形態に係る漢字一覧画面の一例を示す図である。
【００９０】
図９に示す漢字一覧画面９００は、漢字一覧表９１０を含む。なお図９では、説明の便宜上、図４と同様に、２９９７種の漢字のうち、図３の部首ＩＤ５４１が“３０”、“４２０”又は“９０６”の新部首を構成要素として有する漢字群の一部を示している。
【００９１】
漢字一覧表９１０は、縦方向及び横方向にスクロール可能である。ユーザは、この漢字一覧表９１０を用いて、登録された全ての漢字の各々に対応付けられた新部首に関する情報を取得することができる。
【００９２】
図８に戻り、検索画面８００上で、エクスポートボタン８０２が押下される。そうすると、入力部５００が当該ボタンの押下を入力し、出力部５２０が漢字データ５５０を、例えばマイクロソフト社製Excelファイルのワークシートに取り込み、生成されたExcelファイルを記憶部５３０等に出力する。なお、ワークシートに取り込む際、例えば格子状の罫線を自動的に付加しても良い。
【００９３】
また検索画面８００は、旧部首番号（図３の部首ＩＤ５４１のうち数値１〜２１４）を入力可能な入力欄８１１、押下可能な旧部首番号検索ボタン８１２、プレビューボタン８１３を含む。
【００９４】
検索画面８００上で、入力欄８１１に旧部首番号が入力され、旧部首番号検索ボタン８１２が押下される。そうすると、入力部５００は入力欄８１１に入力された番号及び旧部首番号検索ボタン８１２の押下を入力する。その後、検索部５１１が、入力欄８１１に入力された番号の旧部首を有する漢字の一覧を、漢字データ５５０から検索する。その後、出力用データ生成部５１２は、検索結果として抽出された漢字の一覧を示す画面データを生成する。その後、出力部５２０は、生成された画面データを表示装置５５上に表示する。また検索画面８００上で、プレビューボタン８１３が押下される。そうすると、入力部５００が当該ボタンの押下を入力する。その後、出力部５２０は、検索結果として抽出された漢字の一覧を出力（印刷等）する際のプレビュー画面を、表示装置５５上に表示する。
【００９５】
以上に示すように、本実施形態に係る情報処理装置５０では、旧部首番号を使用して漢字検索を実行することができる。
【００９６】
また検索画面８００は、新部首番号（図３の部首ＩＤ５４１に含まれる数値全て）を入力可能な入力欄８２１、押下可能な検索ボタン８２２、プレビューボタン８２３、エクスポートボタン８２４を含む。
【００９７】
検索画面８００上で、入力欄８２１に新部首番号が入力され、検索ボタン８２２が押下される。そうすると、入力部５００は入力欄８２１に入力された番号及び検索ボタン８２２の押下を入力する。その後、検索部５１１が、入力欄８２１に入力された番号の新部首を有する漢字の一覧を、漢字データ５５０から検索する。その後、出力用データ生成部５１２は、検索結果として抽出された漢字の一覧を示す画面データを生成する。画面データについては図１０を用いて後述する。その後、出力部５２０は、生成された画面データを表示装置５５上に表示する。
【００９８】
図１０は、本実施形態に係る新部首番号による検索結果の漢字一覧画面の一例を示す図である。
【００９９】
図１０に示す漢字一覧画面１０００は、漢字一覧表１０１０を含む。漢字一覧表１０１０は、新部首番号“４２０”の新部首による検索結果であって、当該新部首“４２０”を含む漢字の一覧表である。この漢字一覧表１０１０は、縦方向及び横方向にスクロール可能である。
【０１００】
この漢字一覧表１０１０により、登録された漢字のうち指定した新部首（ここでは部首ＩＤが“４２０”の新部首）を構成要素として有する漢字の各々に対応付けられた新部首に関する情報を取得することができる。
【０１０１】
なお、検索画面８００上でプレビューボタン８２３が押下される。そうすると、入力部５００が当該ボタンの押下を入力し、出力部５２０は、検索結果として抽出された漢字の一覧を出力（印刷等）する際のプレビュー画面を、表示装置５５上に表示する。また検索画面８００上でエクスポートボタン８２４が押下される。そうすると、入力部５００が当該ボタンの押下を入力し、出力部５２０が、抽出された漢字一覧に含まれる漢字データを、例えばマイクロソフト社製Excelファイルのワークシートに取り込み、生成されたExcelファイルを記憶部５３０等に出力する。
【０１０２】
また検索画面８００は、漢字一文字を入力可能な入力欄８３１、押下可能な検索ボタン８３２を含む。
【０１０３】
検索画面８００上で、入力欄８３１に漢字一文字が入力され、検索ボタン８３２が押下される。そうすると、入力部５００は入力欄８３１に入力された漢字一文字及び検索ボタン８３２の押下を入力する。その後、検索部５１１が、入力欄８３１に入力された漢字に対応付けられた新部首番号及びポジションデータの全てを、漢字データ５５０から検索する。その後、出力用データ生成部５１２は、検索結果として抽出された新部首番号及びポジションデータの全てを示す画面データを生成する。その後、出力部５２０は、生成された画面データを表示装置５５上に表示する。
【０１０４】
これにより、漢字一文字を入力することによって、この漢字一文字に対応付けられた新部首番号及びポジションデータの全てを検索することができる。
【０１０５】
なお、検索部５１１は、入力欄に入力された漢字に対応付けられたくずし字近似文字を、第１くずし字データ５６０、第２くずし字データ５７０又は第３くずし字データ５８０から検索してもよい。この場合、出力用データ生成部５１２は、検索結果として抽出されたくずし字近似文字を示す画面データを生成する。その後、出力部５２０は、生成された画面データを表示装置５５上に表示する。これにより、漢字一文字という漢字を特定する情報を入力することによって、入力された情報に対応付けられた漢字のくずし字近似文字を検索・出力することができる。なお、漢字を特定する情報は、漢字一文字に限定されるものではない。例えば、図４の漢字ＩＤ５５１でもよい。
【０１０６】
また検索画面８００は、押下可能な部首マトリックスボタン８４１を含む。
【０１０７】
検索画面８００上で部首マトリックスボタン８４１が押下される。そうすると、入力部５００は当該ボタンの押下を入力し、出力部５２０は、図１１に示すような表示画面１１００を、表示装置５５上に表示する。
【０１０８】
図１１は、本実施形態に係る部首マトリックス表の表示画面の一例を示す図である。
【０１０９】
表示画面１１００は、縦列及び横列に、それぞれ前述の方形枠Ａ〜γ、方形枠１〜２９とが示された部首マトリックス表１１１０を含む。この部首マトリックス表１１１０の縦のポジションデータと横のポジションデータとの組み合わせ（例えば“Ａ１”、“Ｂ１”）は、それぞれ押下可能なポジションボタン１１２０としてマトリックス表記される。
【０１１０】
また表示画面１１００は、新部首番号（図３の部首ＩＤ５４１に含まれる数値全て）を入力可能な入力欄１１３０を含む。表示画面１１００上で、ユーザは入力装置５４を用いて新部首番号を入力欄１１３０に入力し、所定のポジションボタン１１２０を押下する。そうすると、入力部５００は入力欄１１３０に入力された番号及びポジションボタン１１２０の押下を入力する。その後、検索部５１１が、入力欄１１３０に入力された番号の新部首を有する漢字であって、当該新部首の字形上の位置がポジションボタン１１２０の位置である漢字を、漢字データ５５０から検索する。また検索部５１１は、検索結果として抽出された漢字のくずし字近似文字を、第１くずし字データ５６０、第２くずし字データ５７０、第３くずし字データ５８０の内の少なくとも一つから検索する。その後、出力用データ生成部５１２は、検索結果として抽出された漢字の一覧を示す画面データを生成する。その後、出力部５２０は、生成された画面データを表示装置５５上に表示する。
【０１１１】
図１２Ａ〜図１２Ｄは、本実施形態に係る部首マトリックス表を用いた検索結果の表示画面の一例を示す図である。
【０１１２】
図１２Ａに示す表示画面１２００は、図１１に示す表示画面１１００において入力欄１１３０に新部首番号“３０”が入力され、“Ｎ１”のポジションボタン１１２０が押下された場合に表示される漢字一覧表１２１０を含む。
【０１１３】
漢字一覧表１２１０では、新部首番号“３０”の新部首“口”がＮ１のポジションに配置された漢字“右”、“石”、“名”、“君”、“后”がリスト表示される。これらの各漢字は、検索部５１１（図２参照）によって、漢字データ５５０から検索結果として抽出されたものである。
【０１１４】
また漢字一覧表１２１０では、各漢字“右”、“石”、“名”、“君”、“后”に対応するくずし字近似文字（図では左側から行書体、行草体、草書体）及びくずし字近似文字の書き順とが表示される。これらの各くずし字近似文字は、検索部５１１によって、第１くずし字データ５６０、第２くずし字データ５７０、第３くずし字データ５８０から検索結果として抽出されたものである。
【０１１５】
以上に示す漢字一覧表１２１０を参照することによって、ユーザは各くずし字の書き方等を、各漢字のくずし方のレベルに応じて学習することが可能になる。
【０１１６】
また、漢字一覧表１２１０に表示される漢字は、新部首（ここでは“口”）及び当該新部首の位置情報（ここではＮ１のポジション）をパラメータとした検索の結果抽出されたものである。すなわち、漢字一覧表１２１０に表示される各漢字は、同一の新部首が同一の位置に配置される点で共通する。
【０１１７】
例えば、図１２Ａに示す各漢字は、同一の新部首“口”が同一のＮ１のポジションに配置される点で共通する。すなわち、例えば第１の漢字“右”を構成する第１要素“口”と、第２の漢字“石”を構成する第２要素“口”とが同一であり、且つ、第１要素の位置情報“Ｎ１”と、第２要素の位置情報“Ｎ１”とが同一である。
【０１１８】
そして、このような新部首は、行書体では数字“１”、“２”に置き換えられ、行草体では平仮名“い”に置き換えられ、草書体では平仮名“つ”に置き換えられている。すなわち、行書体では、第１要素と第２要素とはいずれも同一の記号群“１”、“２”によって近似的に示され、行草体では、第１要素と第２要素とはいずれも同一の記号群“い”によって近似的に示される。同様に、草書体では、第１要素と第２要素とはいずれも同一の記号群“つ”によって近似的に示される。
【０１１９】
つまり、新部首の記号への置き換え態様は、くずし方のレベル（行書体、行草体又は行書体）毎に異なるとともに、くずし方のレベル毎に統一性を有している。そのため、ユーザはくずし字の書き方の傾向を、くずし方のレベルに応じて学習することができる。このことは、ユーザが嗜好するレベルのくずし字の練習に係る時間を飛躍的に短縮可能とする。
【０１２０】
なお、記憶部５３０（図２参照）に新たにテーブルを作成し、作成されたテーブル内で、新部首（“口”）及び新部首の位置情報（Ｎ１のポジション）と、新部首の記号への置き換え態様（行書体では数字“１”、“２”、行草体では平仮名“い”、草書体では平仮名“つ”）とを関連付けて登録してもよい。
【０１２１】
図１２Ｂに示す表示画面１２００は、図１１に示す表示画面１１００において入力欄１１３０に新部首番号“４２０”が入力され、“Ｇ２”のポジションボタン１１２０が押下された場合に表示される漢字一覧表１２２０を含む。
【０１２２】
漢字一覧表１２２０では、新部首番号“４２０”の新部首“一”、“口”の組み合わせがＧ２のポジションに配置された漢字“頭”、“副”、“融”がリスト表示される。これらの各漢字は、検索部５１１によって、漢字データ５５０から検索結果として抽出されたものである。
【０１２３】
また漢字一覧表１２２０では、各漢字“頭”、“副”、“融”に対応するくずし字近似文字（図では左側から行書体、行草体、草書体）及びくずし字近似文字の書き順とが表示される。これらの各くずし字近似文字は、検索部５１１によって、第１くずし字データ５６０、第２くずし字データ５７０、第３くずし字データ５８０から検索結果として抽出されたものである。
【０１２４】
以上に示す漢字一覧表１２２０を参照することによって、ユーザは各くずし字の書き方等を、各漢字のくずし方のレベルに応じて学習することが可能になる。
【０１２５】
また、漢字一覧表１２２０に表示される漢字は、新部首（ここでは“一”、“口”の組み合わせ）及び当該新部首の位置情報（ここではＧ２のポジション）をパラメータとした検索の結果抽出されたものである。すなわち、漢字一覧表１２２０に表示される各漢字は、同一の新部首が同一の位置に配置される点で共通する。
【０１２６】
例えば、図１２Ｂに示す各漢字は、同一の新部首“一”、“口”の組み合わせが同一のＧ２のポジションに配置される点で共通する。すなわち、例えば第１の漢字“頭”を構成する第１要素“一”、“口”の組み合わせと、第２の漢字“副”を構成する第２要素“一”、“口”の組み合わせとが同一であり、且つ、第１要素の位置情報“Ｇ２”と、第２要素の位置情報“Ｇ２”とが同一である。
【０１２７】
そして、このような新部首は、行書体では平仮名“ろ”に置き換えられ、行草体では記号“一”と片仮名“ソ”の組み合わせに置き換えられている。すなわち、行書体では、第１要素と第２要素とはいずれも同一の記号群“ろ”によって近似的に示され、行草体では、第１要素と第２要素とはいずれも同一の記号群“一”、“ソ”によって近似的に示される。
【０１２８】
つまり、新部首の記号への置き換え態様は、草書体を除いてくずし方のレベル毎に統一性を有している。そのため、ユーザはくずし字の書き方の傾向を、くずし方のレベルに応じて学習することができる。このことは、ユーザが嗜好するレベルのくずし字の練習に係る時間を飛躍的に短縮可能とする。
【０１２９】
なお、記憶部５３０（図２参照）に新たにテーブルを作成し、作成されたテーブル内で、新部首（“一”と“口”の組み合わせ）及び新部首の位置情報（Ｇ２のポジション）と、新部首の記号への置き換え態様（行書体では平仮名“ろ”、行草体では記号“一”と片仮名“ソ”の組み合わせ）とを関連付けて登録してもよい。
【０１３０】
図１２Ｃに示す表示画面１２００は、図１１に示す表示画面１１００において入力欄１１３０に新部首番号“９０６”が入力され、“Ｉ１”のポジションボタン１１２０が押下された場合に表示される漢字一覧表１２３０を含む。
【０１３１】
漢字一覧表１２３０では、新部首番号“９０６”の新部首“一”、“口”、“田”の組み合わせがＩ１のポジションに配置された漢字“福”、“幅”がリスト表示される。これらの各漢字は、検索部５１１によって、漢字データ５５０から検索結果として抽出されたものである。
【０１３２】
また漢字一覧表１２３０では、各漢字“福”、“幅”に対応するくずし字近似文字（図では左側から行書体、行草体、草書体）及びくずし字近似文字の書き順とが表示される。これらの各くずし字近似文字は、検索部５１１によって、第１くずし字データ５６０、第２くずし字データ５７０、第３くずし字データ５８０から検索結果として抽出されたものである。
【０１３３】
以上に示す漢字一覧表１２３０を参照することによって、ユーザは各くずし字の書き方等を、各漢字のくずし方のレベルに応じて学習することが可能になる。
【０１３４】
また、漢字一覧表１２３０に表示される漢字は、新部首（ここでは“一”、“口”、“田”の組み合わせ）及び当該新部首の位置情報（ここではＩ１のポジション）をパラメータとした検索の結果抽出されたものである。すなわち、漢字一覧表１２３０に表示される各漢字は、同一の新部首が同一の位置に配置される点で共通する。
【０１３５】
例えば、図１２Ｃに示す各漢字は、同一の新部首“一”、“口”、“田”の組み合わせが同一のＩ１のポジションに配置される点で共通する。すなわち、例えば第１の漢字“福”を構成する第１要素“一”、“口”、“田”の組み合わせと、第２の漢字“幅”を構成する第２要素“一”、“口” 、“田”の組み合わせとが同一であり、且つ、第１要素の位置情報“Ｉ１”と、第２要素の位置情報“Ｉ１”とが同一である。
【０１３６】
そして、このような新部首は、行書体では記号“一”、数字“１”、“２”、“１”、片仮名“フ”、数字“１”、“２”の組み合わせに置き換えられ、行草体では片仮名“フ”、数字“７”、平仮名“つ”、記号“∩”、“｜”の組み合わせに置き換えられている。すなわち、行書体では、第１要素と第２要素とはいずれも同一の記号群“一”、“１”、“２”、“１”、“フ”、“１”、“２”によって近似的に示され、行草体では、第１要素と第２要素とはいずれも同一の記号群“フ”、“７”、“つ”、“∩”、“｜”によって近似的に示される。
【０１３７】
つまり、新部首の記号への置き換え態様は、草書体を除いてくずし方のレベル毎に統一性を有している。そのため、ユーザはくずし字の書き方の傾向を、くずし方のレベルに応じて学習することができる。このことは、ユーザが嗜好するレベルのくずし字の練習に係る時間を飛躍的に短縮可能とする。
【０１３８】
なお、記憶部５３０（図２参照）に新たにテーブルを作成し、作成されたテーブル内で、新部首（“一”と“口”と“田”の組み合わせ）及び新部首の位置情報（Ｉ１のポジション）と、新部首の記号への置き換え態様（行書体では記号“一”、数字“１”、“２”、“１”、片仮名“フ”、数字“１”、“２”の組み合わせ、行草体では片仮名“フ”、数字“７”、平仮名“つ”、記号“∩”、“｜”の組み合わせ）とを関連付けて登録してもよい。
【０１３９】
図１２Ｄに示す表示画面１２００は、図１１に示す表示画面１１００において入力欄１１３０に新部首番号“４２０”が入力され、“Ｉ２”のポジションボタン１１２０が押下された場合に表示される漢字一覧表１２４０を含む。
【０１４０】
漢字一覧表１２４０では、新部首番号“４２０”の新部首“一”、“口”の組み合わせがＩ２のポジションに配置された漢字“短”、“隔”がリスト表示される。これらの各漢字は、検索部５１１によって、漢字データ５５０から検索結果として抽出されたものである。
【０１４１】
また漢字一覧表１２４０では、各漢字“短”、“隔”に対応するくずし字近似文字（図では左側から行書体、行草体、草書体）及びくずし字近似文字の書き順とが表示される。これらの各くずし字近似文字は、検索部５１１によって、第１くずし字データ５６０、第２くずし字データ５７０、第３くずし字データ５８０から検索結果として抽出されたものである。
【０１４２】
以上に示す漢字一覧表１２４０を参照することによって、ユーザは各くずし字の書き方等を、各漢字のくずし方のレベルに応じて学習することが可能になる。
【０１４３】
また、漢字一覧表１２４０に表示される漢字は、新部首（ここでは“一”、“口”の組み合わせ）及び当該新部首の位置情報（ここではＩ２のポジション）をパラメータとした検索の結果抽出されたものである。すなわち、漢字一覧表１２４０に表示される各漢字は、同一の新部首が同一の位置に配置される点で共通する。
【０１４４】
例えば、図１２Ｄに示す各漢字は、同一の新部首“一”、“口”の組み合わせが同一のＩ２のポジションに配置される点で共通する。すなわち、例えば第１の漢字“短”を構成する第１要素“一”、“口”の組み合わせと、第２の漢字“隔”を構成する第２要素“一”、“口”の組み合わせとが同一であり、且つ、第１要素の位置情報“Ｉ２”と、第２要素の位置情報“Ｉ２”とが同一である。
【０１４５】
そして、このような新部首は、行書体では記号“一”、数字“１”、“２”の組み合わせに置き換えられ、行草体では片仮名“フ”、数字“７”の組み合わせに置き換えられている。すなわち、行書体では、第１要素と第２要素とはいずれも同一の記号群“１”、“２”によって近似的に示され、行草体では、第１要素と第２要素とはいずれも同一の記号群“フ”、“７”によって近似的に示される。
【０１４６】
つまり、新部首の記号への置き換え態様は、草書体を除いてくずし方のレベル毎に統一性を有している。そのため、ユーザはくずし字の書き方の傾向を、くずし方のレベルに応じて学習することができる。このことは、ユーザが嗜好するレベルのくずし字の練習に係る時間を飛躍的に短縮可能とする。
【０１４７】
なお、記憶部５３０（図２参照）に新たにテーブルを作成し、作成されたテーブル内で、新部首（“一”と“口”の組み合わせ）及び新部首の位置情報（Ｉ２のポジション）と、新部首の記号への置き換え態様（行書体では記号“一”、数字“１”、“２”の組み合わせ、行草体では片仮名“フ”、数字“７”の組み合わせ）とを関連付けて登録してもよい。
【０１４８】
このように、本実施形態に係る情報処理装置５０によれば、漢字のくずし字を効率的に学習できる態様で、漢字のくずし字を体系的に管理することができる。また、新部首番号と縦のポジションデータと横のポジションデータとの組み合わせによって、漢字を検索することができる。これにより、漢字に含まれる２１４種類の部首以外の情報を用いて、所謂うろ覚えの部首のみから方形枠を頼りに所望の漢字のくずし字を検索することができる。また、細かい記憶条件を付加しないと検索できなかった漢字検索が図形的にファジィな手がかりで容易にかつ瞬時に精度良く検索できる効果がある。
【０１４９】
なお、図１２Ａ〜図１２Ｄでは、出力部５２０（図２参照）が、漢字のくずし字を各種記号の組み合わせによって近似的に示したくずし字近似文字を表示させた形態を示しているが、漢字のくずし字自体を表示させてもよい。
【０１５０】
図８に戻り、また検索画面８００は、部首名称を入力する入力欄８５１、押下可能な検索ボタン８５２、部首一覧ボタン８５３、終了ボタン８６１を含む。
【０１５１】
検索画面８００上で、入力欄８５１に部首名称が入力され、検索ボタン８５２が押下される。そうすると、入力部５００は入力欄８５１に入力された部首名称及び検索ボタン８５２の押下を入力する。その後、検索部５１１が、入力欄８５１に入力された部首名称を有する新部首の部首ＩＤ５４１を、部首ＩＤデータ５４０から検索する。その後、出力部５２０は、検索結果として抽出された部首ＩＤ５４１並びに新部首の内容を表示装置５５上に表示する。これにより、部首名称を入力することによって、この部首名称に対応付けられた新部首番号及び新部首の内容を検索することができる。
【０１５２】
また検索画面８００上で、部首一覧ボタン８５３が押下される。そうすると、入力部５００は部首一覧ボタン８５３の押下を入力する。その後、検索部５１１は、部首ＩＤデータ５４０に登録された全ての新部首を検索する。その後、出力用データ生成部５１２が、検索結果として抽出された全ての新部首の一覧を示す画面データを生成する。その後、出力部５２０は、生成された画面データを表示装置５５上に表示する。これにより、全ての新部首の一覧を表示させることができる。
【０１５３】
また検索画面８００上で、終了ボタン８６１が押下されると、検索画面８００は閉じられる。
【０１５４】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【０１５５】
５０  情報処理装置
５００  入力部
５１０  処理部
５１１  検索部
５１２  出力用データ生成部
５２０  出力部
５３０  記憶部
５４０  部首データ
５５０  漢字データ
５６０  第１くずし字データ
５７０  第２くずし字データ
５８０  第３くずし字データ
【図１】
0005944874.tif 000002
【図２】
0005944874.tif 000003
【図３】
0005944874.tif 000004
【図４】
0005944874.tif 000005
【図５Ａ】
0005944874.tif 000006
【図５Ｂ】
0005944874.tif 000007
【図５Ｃ】
0005944874.tif 000008
【図６Ａ】
0005944874.tif 000009
【図７Ａ】
0005944874.tif 000010
【図７Ｂ】
0005944874.tif 000011
【図７Ｃ】
0005944874.tif 000012
【図７Ｄ】
0005944874.tif 000013
【図８】
0005944874.tif 000014
【図９】
0005944874.tif 000015
【図１０】
0005944874.tif 000016
【図１２Ａ】
0005944874.tif 000017
【図１２Ｂ】
0005944874.tif 000018
【図１２Ｃ】
0005944874.tif 000019
【図１２Ｄ】
0005944874.tif 000020
【図６Ｂ】
0005944874.tif 000021
【図１１】
0005944874.tif 000022